(57)【特許請求の範囲】
【請求項１】
端子板並びにこれに対向して端子板との間で電線を挟持する錠ばねからなる速結端子部と、速結端子部を内部に収納する器具本体とを備え、器具本体外壁の端子板と錠ばねとの間に対向した位置に電線を挿入する電線挿入孔を設けてなり、電線挿入孔の器具本体内壁側の開口に対して器具本体外壁側の開口を端子板と錠ばねの対向方向に沿って端子板寄りに偏心させ、錠ばねの電線を挟持する部位が過度に撓むのを防止する防止手段を端子板の後端部を折曲して形成したことを特徴とする配線器具。
【請求項２】
電線挿入孔の器具本体内壁側の開口に対して器具本体外壁側の開口を大径としたことを特徴とする請求項１記載の配線器具。
【請求項３】
電線挿入孔の器具本体外壁側の開口における端子板と錠ばねの対向方向に沿った端子板寄りの部位に切り欠きを設けたことを特徴とする請求項１記載の配線器具。
【請求項４】
電線挿入孔の器具本体外壁側の開口を、端子板と錠ばねの対向方向に沿った長軸を有する長円形としたことを特徴とする請求項１記載の配線器具。
【請求項５】
端子板の先端部を器具本体内壁側の開口から電線挿入孔内に突出させたことを特徴とする請求項１記載の配線器具。
【請求項６】
電線挿入孔の器具本体内壁側の開口と対向し電線の移動を規制するストッパ部を端子板の後端部に設けたことを特徴とする請求項１記載の配線器具。
【発明の詳細な説明】
【０００１】
【発明の属する技術分野】
本発明は、配線器具に関するものである。
【０００２】
【従来の技術】
従来、スイッチやコンセント等の配線器具においては電線の結線を容易にしたり、接続の均一化を行って接続信頼性を確保する等の目的で、ねじによらずに結線可能な速結端子部を器具本体内に収納している。
【０００３】
図１０は従来の配線器具の一部省略した側面断面図を示している。前面が開口した略箱状の合成樹脂製のボディ１０１と、ボディ１０１の前面に被着される合成樹脂製のカバー１０２とで配線器具の器具本体が構成されている。ボディ１０１の内部は隔壁によって複数の区画に区切られており、速結端子部を収納する端子収納室１０９が両側に設けられている。端子収納室１０９にはそれぞれ導電材料から形成された端子板１１１が収納されている。端子板１１１は略コ字状に形成されたコ字状部１１３を有しており、コ字状部１１３にはそれぞれ一対の錠ばね３６が収納されて速結端子部が構成してある。また、ボディ１０１の底面には各端子収納室１０９に連通する電線挿入孔１１５が設けられている。
【０００４】
錠ばね３６の鎖錠片３６ｂ及び押圧片３６ａは、弾性を有する導電材料の帯板の両端部を曲成して中央片３６ｃの両端部に形成される。また、端子板１１１のコ字状部１１３は、それぞれ、中央片１１３ａと、中央片１１３ａの両端縁から中央片１１３ａと略直交する方向にそれぞれ突出する当接片１１３ｂ及び接触片１１３ｃから構成される。錠ばね３６の中央片３６ｃは、端子板１１１の当接片１１３ｂに当接し、鎖錠片３６ｂは中央片３６ｃとの連結部位から先端縁に向かってコ字状部１１３の接触片１１３ｃに近付く向きに傾斜し、押圧片３６ａは略Ｓ字状に曲成されており、錠ばね３６に設けた鎖錠片３６ｂ及び押圧片３６ａがコ字状部１１３の接触片１１３ｃと対向する。
【０００５】
速結端子部に電線を接続する場合には、被覆が剥かれた電線を電線挿入孔１１５から挿入すると、錠ばね３６のばね力により錠ばね３６の鎖錠片３６ｂ及び押圧片３６ａと、端子板１１１の接触片１１３ｃとの間に電線が挟持され、鎖錠片３６ｂの先端縁が電線に食い込むことによって、電線が反挿入方向に抜け止めされるようになっている。したがって、電線挿入孔１１５に電線を挿入するだけで、電線が保持されるとともに、端子板１１１への電気的接続がなされるのである。また各端子収納室１０９内には、一対の錠ばね３６の鎖錠片３６ｂと対向させて解除釦１１７が収納されている。速結端子部に接続された電線を外す場合は、ボディ１０１の底面に穿設された工具挿入孔からマイナスドライバなどの工具を挿入して、解除釦１１７を押圧することにより、解除釦１１７の突起１１７ａが鎖錠片３６ｂを押圧して、鎖錠片３６ｂを端子板１１１の接触片１１３ｃから離れる向きに撓ませるので、鎖錠片３６ｂが電線から離れ、電線を容易に引き抜くことができる。
【０００６】
ところで、このような配線器具はプレート枠１３０に取り付けた状態で後端部が施工面に埋め込まれる形で施工される。また、電線挿入孔１１５が器具本体の後面に開口し電線が器具本体の後面側に引き出されるから、器具本体の後方に所定の空間を確保する必要がある。特に、施工面がコンクリート壁であるような場合には、壁内に電線を引き出すための空間を確保するために、図１１に示すような埋込ボックス２００を埋め込む必要がある。埋込ボックス２００は前面が開口した略直方体形状であって、長手方向に対向する両側壁内側の開口近傍にはボックスねじが螺合するねじ孔２０１ａを有したラグ（固定部）２０１が突設されている。また、埋込ボックス２００の側壁には略円形のノックアウト部２０２が複数箇所に設けられている。すなわち、電線はコンクリート壁に埋設された電線管（図示せず）の内部に挿通されており、図１１に示すようにノックアウト部２０２を取り除いて形成される孔にコネクタ２０３を用いて電線管の端部が接続され、コネクタ２０３を通して電線が埋込ボックス２００内に引き出される。そして、プレート枠１３０に挿通されたボックスねじをラグ２０１のねじ孔２０１ａに螺合することでプレート枠１３０が埋込ボックス２００に固定される。
【０００７】
【発明が解決しようとする課題】
ところで従来の配線器具においては、図１２に示すように電線挿入孔１１５の器具本体内壁側の開口Ａに対して器具本体外壁側の開口Ｂを端子板１１１と錠ばね３６の対向方向に沿って錠ばね寄り、すなわち器具本体の中央寄りに偏心させていた。よって、埋込ボックス２００内で電線を器具本体の外側へ引き出す際に電線の屈曲部位と電線挿入孔１１５の器具本体外壁側の開口Ｂとの距離が近くなるため、径の太い単線からなる電線を速結端子部に結線した場合に錠ばね３６のばね力よりも電線の反力が勝り、器具本体外壁側の開口Ｂの周縁を支点として電線が錠ばね３６の方へ倒れて端子板１１１から離れてしまい、接触不良を起こす虞がある。
【０００８】
本発明は上記問題に鑑みて為されたものであり、その目的とするところは、電線挿入孔の器具本体外壁側の開口から端子板と錠ばねの対向方向に沿って端子板側へ電線を引き出す場合に電線を端子板と確実に接触させて接触不良の発生を防止した配線器具を提供することにある。
【０００９】
【課題を解決するための手段】
請求項１の発明は、上記目的を達成するために、端子板並びにこれに対向して端子板との間で電線を挟持する錠ばねからなる速結端子部と、速結端子部を内部に収納する器具本体とを備え、器具本体外壁の端子板と錠ばねとの間に対向した位置に電線を挿入する電線挿入孔を設けてなり、電線挿入孔の器具本体内壁側の開口に対して器具本体外壁側の開口を端子板と錠ばねの対向方向に沿って端子板寄りに偏心させ、錠ばねの電線を挟持する部位が過度に撓むのを防止する防止手段を端子板の後端部を折曲して形成したことを特徴とし、電線挿入孔の器具本体外壁側の開口から端子板と錠ばねの対向方向に沿って端子板側へ電線を引き出す場合に電線の屈曲部位を電線挿入孔の器具本体外壁側の開口から遠ざけることができるため、電線が錠ばねの方へ倒れ込む際にも器具本体内壁側の開口近傍において端子板の先端部と接触し、電線を端子板と確実に接触させて接触不良の発生を防止することができる。また、防止手段によって錠ばねの撓みを防止することで電線と端子板との接続を安定させることができるとともに、防止手段を容易に形成することができる。
【００１０】
請求項２の発明は、請求項１の発明において、電線挿入孔の器具本体内壁側の開口に対して器具本体外壁側の開口を大径としたことを特徴とし、電線の屈曲部位を電線挿入孔の器具本体外壁側の開口からさらに遠ざけることができ、電線と端子板の接続を安定させることができる。
【００１１】
請求項３の発明は、請求項１の発明において、電線挿入孔の器具本体外壁側の開口における端子板と錠ばねの対向方向に沿った端子板寄りの部位に切り欠きを設けたことを特徴とし、電線の屈曲部位を電線挿入孔の器具本体外壁側の開口からさらに遠ざけることができ、電線と端子板の接続を安定させることができる。
【００１２】
請求項４の発明は、請求項１の発明において、電線挿入孔の器具本体外壁側の開口を、端子板と錠ばねの対向方向に沿った長軸を有する長円形としたことを特徴とし、電線の屈曲部位を電線挿入孔の器具本体外壁側の開口からさらに遠ざけることができ、電線と端子板の接続を安定させることができる。
【００１３】
請求項５の発明は、請求項１の発明において、端子板の先端部を器具本体内壁側の開口から電線挿入孔内に突出させたことを特徴とし、電線が倒れ込む際の支点（端子板との接触点）が電線挿入孔の外側へ移動するから、端子板と電線とのギャップを減少させることができて電線と端子板をより確実に接触させることができる。
【００１４】
請求項６の発明は、請求項１の発明において、電線挿入孔の器具本体内壁側の開口と対向し電線の移動を規制するストッパ部を端子板の後端部に設けたことを特徴とし、ストッパ部によって電線の倒れ込みを防止することができ、電線を端子板と確実に接続することができる。
【００１７】
【発明の実施の形態】
以下、本発明をコンセントに適用した実施形態について図面を参照して詳細に説明する。但し、本発明が適用される配線器具はコンセントに限定されるものではなく、例えばスイッチ等を含めた配線器具全般に適用可能である。
【００１８】
（参考例）
本発明の実施形態を説明する前に本発明の参考例について説明する。本参考例のコンセントの分解斜視図を図２に示す。このコンセントは、前面が開口した略箱状の合成樹脂製のボディ１０と、後面が開口した略箱状であってボディ１０の前面に被着される合成樹脂製のカバー２０とが双方に設けた嵌合部６０，７０に組立枠５０の嵌合孔５１，５１を凹凸嵌合することで結合されて器具本体が構成される。
【００１９】
ボディ１０は長手方向の中間部に設けた隔壁１１により内部空間が２分されて２つの収納室１３，１３が形成されている。また、カバー２０内にも隔壁（図示せず）が形成され、ボディ１０とカバー２０を結合するとボディ１０の隔壁１１とカバーの隔壁とが突き合わされて器具本体の内部空間が独立した２室に分割される。
【００２０】
ボディ１０内の各収納室１３には、それぞれ刃受部３０、速結端子部並びに解除釦３７が収納される。刃受部３０は互いに対向する一対のばね片３０ａと、両ばね片３０ａの一方の側面に対向するばね片３０ｂと、ばね片３０ａ，３０ｂを連続一体に結合するコ字状の連結片３０ｃとからなる。また、連結片３０ｃの開放端には互いに離れる向きに突出する形で端子板３２，３２が連結片３０ｃと連続一体に形成されている。つまり、刃受部３０並びに２つの端子板３２，３２が金属板のような導電性部材によって一体に形成されて刃受ブロックが構成されている。
【００２１】
ボディ１０内には連結片３０ｃと端子板３２とにそれぞれ当接する複数の位置決め用のリブ１０ａが形成され、これらのリブ１０ａにより上記刃受ブロックがボディ１０の各収納室１３，１３内に位置決めして収納される。また、端子板３２とこれに対向するリブ１０ａとの間には各々錠ばね３６が配置される。なお、各収納室１３内においては、ボディ１０底壁の端子板３２と錠ばね３６との間に対向した位置に各々一対の電線挿入孔１５，１５が貫設されている。
【００２２】
ここで、錠ばね３６は従来と共通であって、被覆が剥かれた電線を電線挿入孔１５から挿入すると、錠ばね３６のばね力により錠ばね３６の鎖錠片３６ｂ及び押圧片３６ａと、端子板３２との間に電線が挟持されるとともに、鎖錠片３６ｂの先端縁が電線に食い込むことによって電線が反挿入方向に抜け止めされ、速結端子部に電線が結線される。なお、錠ばね３６は押圧片３６ａが中央片３６ｃとの連結部位よりも先端部側で中央片３６ｃとの間隔が最も狭くなるように曲成され、押圧片３６ａの中央片３６ｃとの連結部位から先端部までの長さ寸法を長くして押圧片３６ａを撓ませるのに必要な力を低下させてあるため、速結端子部の適用電線の範囲が拡大されて撚り線からなる電線の結線も可能になっている。
【００２３】
また、各収納室１３には端子板３２にそれぞれ対向する一対の鎖錠ばね３６に跨がるように合成樹脂成型品からなる解除釦３７が配設される。解除釦３７は両鎖錠ばね３６の鎖錠片３６ｂに当接し、ボディ１０の底壁に沿ってスライド可能となるように配置されている。解除釦３７が鎖錠片３６ｂに当接する部位は鎖錠片３６ｂが端子板３２との間に電線を挟持する部位からずれている。また、解除釦３７に対応する部位でボディ１０の底壁には冶具挿入孔１６が形成され、冶具挿入孔１６にマイナスドライバなどの冶具を挿入して解除釦３７を動作させることにより、電線に食い込んでいる鎖錠片３６ｂを電線から離すように撓ませて電線の引抜きが可能となる。
【００２４】
一方、カバー２０の前壁にはプラグが差し込み接続される差込部２４が形成されている。差込部２４は各刃受部３０のばね片３０ａ，３０ｂに対応する部位にそれぞれ開口する一対の挿入口２５を有する。挿入口２５は平板状の平型栓刃が差し込まれる平型栓刃挿入口２５ａと、ピン状のピン型栓刃が差し込まれるピン型栓刃挿入口２５ｂとを連通させた形状に形成されている。つまり、平型栓刃挿入口２５ａは矩形状であって、長手方向の中間部の一側縁に円状のピン型栓刃挿入口２５ｂが連通した形状になっている。また、平型栓刃挿入口２５ａの中心間の距離よりも、ピン型栓刃挿入口２５ｂの中心間の距離の方が広くなっている。平型栓刃挿入口２５ａに挿入される平型栓刃はばね片３１の側面とばね片３２との間で挟持され、ピン型栓刃挿入口２５ｂに挿入されるピン型栓刃は一対のばね片３１の間で挟持される。なお、平型栓刃挿入口２５ａは電圧線側と接地線側とで長さ寸法を異ならせてある。
【００２５】
次に、本発明の要旨である電線挿入孔１５の構造についてさらに詳しく説明する。
【００２６】
既に説明したように、従来の配線器具においては電線挿入孔１１５の器具本体内壁側の開口Ａに対して器具本体外壁側の開口Ｂを端子板１１１と錠ばね３６の対向方向に沿って錠ばね寄り、すなわち器具本体の中央寄りに偏心させていたため、径の太い単線からなる電線１００を速結端子部に結線した場合に錠ばね３６のばね力よりも電線１００の反力が勝り、図１に点線で示すように器具本体外壁側の開口Ｂの周縁を支点として電線１００が錠ばね３６の方へ倒れて端子板１１１から離れてしまい、接触不良を起こす虞があった。
【００２７】
これに対して本参考例では、図３（ａ）及び（ｂ）に示すように電線挿入孔１５の器具本体内壁側（ボディ１０底壁の内側）の開口Ａに対して器具本体外壁側（ボディ１０底壁の外側）の開口Ｂを端子板３２と錠ばね３６の対向方向（ボディ１０の長手方向）に沿って端子板３２寄り、すなわちボディ１０の長手方向端部寄りに偏心させている。このため、電線挿入孔１５の器具本体外壁側の開口Ｂから端子板３２と錠ばね３６の対向方向に沿って端子板３２側へ電線を引き出す場合に電線の屈曲部位を電線挿入孔１５の器具本体外壁側の開口Ｂから遠ざけることができる。その結果、図１に示すように電線１００が錠ばね３６の方へ倒れ込む際にも器具本体内壁側の開口Ａ近傍において端子板３２の先端部３２ａと電線１００が接触し、電線１００を端子板３２と確実に接触させて接触不良の発生を防止することができる。なお、図３（ｃ）に示すように器具本体外壁側の開口Ｂの径を大きくするほど電線の屈曲部位を電線挿入孔１５の器具本体外壁側の開口Ｂからさらに遠ざけることができ、電線１００と端子板３２の接続を一層安定させることができる。
【００２８】
また、図４に示すように電線挿入孔１５の器具本体外壁側の開口Ｂから端子板３２と錠ばね３６の対向方向に沿った端子板３２寄りの部位に切り欠き１５ａを設けて開口Ｂの寸法を大きくすれば、ボディ１０の機械的強度を維持したままで電線の屈曲部位を電線挿入孔１５の器具本体外壁側の開口Ｂからさらに遠ざけ、電線と端子板３２の接続を安定させて接触信頼性の向上が図れる。
【００２９】
あるいは、図５に示すように電線挿入孔１５の器具本体外壁側の開口Ｂを、端子板３２と錠ばね３６の対向方向に沿った長軸を有する長円形とすれば、電線の屈曲部位を電線挿入孔１５の器具本体外壁側の開口Ｂからさらに遠ざけて電線と端子板３２の接続を安定させ、接触信頼性の向上が図れるとともに、電線挿入孔１５への電線の挿入性を向上させることができる。
【００３０】
本発明の実施形態の側断面図を図６に示す。但し、本実施形態の基本構成は参考例と共通であるから、共通する構成要素には同一の符号を付して説明を省略し、本実施形態の特徴となる構成についてのみ説明する。
【００３１】
すなわち本実施形態は、図６及び図７に示すように端子板３２の先端部３２ａを器具本体内壁側（ボディ１０底壁の内側）の開口Ａから電線挿入孔１５内に突出させた点に特徴がある。つまり、参考例に対して器具本体内壁側の開口Ａの径を端子板３２側に広げるとともに端子板３２の長さ寸法を先端側（図６における下側）に長くしている。
【００３２】
而して、このような構成としたことにより、参考例に比較して電線１００が倒れ込む際の支点（端子板３２との接触点）が電線挿入孔１５の外側へ移動するから、端子板３２と電線１００とのギャップを参考例よりも減少させることができ、電線１００と端子板３２をより確実に接触させることができる。
【００３３】
また、図８に示すように端子板３２の後端部（図８における上部）を錠ばね３６側へ略直角に折り曲げてなるストッパ部３３を設けてもよい。このストッパ部３３は器具本体内壁側の開口Ａと対向し、電線挿入孔１５から挿入されて速結端子部に結線された電線１００の先端に当接して電線１００の倒れ込みを防止する。よって、埋込ボックス２００への収納時に電線１００を屈曲させる際に加わる荷重で電線１００の先端がストッパ部３３に当接するため、電線１００が錠ばね３６の方へ大きく倒れ込むことが無く、電線１００を端子板３２と確実に接続して接触信頼性の向上が図れるものである。
【００３４】
さらに、図９に示すようにストッパ部３３の先端を電線挿入孔１５の方（図９における下方）へ略直角に折り曲げることにより、錠ばね３６の押圧片３６ａが過度に撓むのを防止するための撓み防止部３４を設けてもよい。この撓み防止部３４は錠ばね３６の押圧片３６ａの先端部と中央片３６ｃの連結部位との間に進出し、図９に２点破線で示すように速結端子部に電線１００が結線された状態で押圧片３６ａに対向してその撓みを規制する。よって、埋込ボックス２００への収納時に電線１００を屈曲させる荷重が加わっても、撓み防止部３４と当接することにより、錠ばね３６の押圧片３６ａが過度に撓むことが無く、電線１００が端子板３２から離れず電線１００を端子板３２と確実に接続して接触信頼性の向上が図れる。また、錠ばね３６が過度に撓むことがないため、錠ばね３６のへたりの発生も防止できる。なお、端子板３２の後端部を折曲することで撓み防止部３４が容易に形成できるが、端子板３２以外の刃受部３０やボディ１０あるいはカバー２０に撓み防止部を設けてもよい。
【００３５】
【発明の効果】
請求項１の発明は、端子板並びにこれに対向して端子板との間で電線を挟持する錠ばねからなる速結端子部と、速結端子部を内部に収納する器具本体とを備え、器具本体外壁の端子板と錠ばねとの間に対向した位置に電線を挿入する電線挿入孔を設けてなり、電線挿入孔の器具本体内壁側の開口に対して器具本体外壁側の開口を端子板と錠ばねの対向方向に沿って端子板寄りに偏心させ、錠ばねの電線を挟持する部位が過度に撓むのを防止する防止手段を端子板の後端部を折曲して形成したので、電線挿入孔の器具本体外壁側の開口から端子板と錠ばねの対向方向に沿って端子板側へ電線を引き出す場合に電線の屈曲部位を電線挿入孔の器具本体外壁側の開口から遠ざけることができるため、電線が錠ばねの方へ倒れ込む際にも器具本体内壁側の開口近傍において端子板の先端部と接触し、電線を端子板と確実に接触させて接触不良の発生を防止することができ、また、防止手段によって錠ばねの撓みを防止することで電線と端子板との接続を安定させることができるとともに防止手段を容易に形成することができるという効果がある。
【００３６】
請求項２の発明は、請求項１の発明において、電線挿入孔の器具本体内壁側の開口に対して器具本体外壁側の開口を大径としたので、電線の屈曲部位を電線挿入孔の器具本体外壁側の開口からさらに遠ざけることができ、電線と端子板の接続を安定させることができるという効果がある。
【００３７】
請求項３の発明は、請求項１の発明において、電線挿入孔の器具本体外壁側の開口における端子板と錠ばねの対向方向に沿った端子板寄りの部位に切り欠きを設けたので、電線の屈曲部位を電線挿入孔の器具本体外壁側の開口からさらに遠ざけることができ、電線と端子板の接続を安定させることができるという効果がある。
【００３８】
請求項４の発明は、請求項１の発明において、電線挿入孔の器具本体外壁側の開口を、端子板と錠ばねの対向方向に沿った長軸を有する長円形としたので、電線の屈曲部位を電線挿入孔の器具本体外壁側の開口からさらに遠ざけることができ、電線と端子板の接続を安定させることができるという効果がある。
【００３９】
請求項５の発明は、請求項１の発明において、端子板の先端部を器具本体内壁側の開口から電線挿入孔内に突出させたので、電線が倒れ込む際の支点（端子板との接触点）が電線挿入孔の外側へ移動するから、端子板と電線とのギャップを減少させることができて電線と端子板をより確実に接触させることができるという効果がある。
【００４０】
請求項６の発明は、請求項１の発明において、電線挿入孔の器具本体内壁側の開口と対向し電線の移動を規制するストッパ部を端子板の後端部に設けたので、ストッパ部によって電線の倒れ込みを防止することができ、電線を端子板と確実に接続することができるという効果がある。
【図面の簡単な説明】
【図１】  本発明の参考例を示す要部断面図である。
【図２】  同上の分解斜視図である。
【図３】  同上を示し、（ａ）は一部省略した後面図、（ｂ）は要部断面図、（ｃ）は他の構成の要部断面図である。
【図４】  同上の他の構成を示し、（ａ）は一部省略した後面図、（ｂ）は要部断面図である。
【図５】  同上のさらに他の構成を示し、（ａ）は一部省略した後面図、（ｂ）は要部断面図である。
【図６】  本発明の実施形態を示す断面図である。
【図７】  同上の要部断面図である。
【図８】  同上の他の構成を示す断面図である。
【図９】  同上のさらに他の構成を示す断面図である。
【図１０】  従来例を示す一部省略した断面図である。
【図１１】  同上を埋込ボックスに収納した状態を示し、（ａ）は後面図、（ｂ）は下面図、（ｃ）は断面図である。
【図１２】  同上を示し、（ａ）は一部省略した後面図、（ｂ）は要部断面図である。
【符号の説明】
１０  ボディ
１５  電線挿入孔
３２  端子板
Ａ  開口
Ｂ  開口
【図１】
0003687562.tif 000002
【図２】
0003687562.tif 000003
【図３】
0003687562.tif 000004
【図４】
0003687562.tif 000005
【図５】
0003687562.tif 000006
【図６】
0003687562.tif 000007
【図７】
0003687562.tif 000008
【図８】
0003687562.tif 000009
【図９】
0003687562.tif 000010
【図１０】
0003687562.tif 000011
【図１１】
0003687562.tif 000012
【図１２】
0003687562.tif 000013